(57)【要約】２枚のブレードを有するアイススケート靴で、スケート靴のフレームの前後にある接続部にブレード固定金具が遊動的に装置されている、その間にブレード曲げカム部が有り、そのブレード曲げカム部はスケート靴の横の傾きで、左右に装着されているブレードを同時に曲げる機構をもっている。その曲げる機構でブレードは足の傾く方に中心をもつ弧を描く、その弧に添い氷上を滑るアイススケート靴。
2015063958.tif 000002
【特許請求の範囲】
【請求項１】
左右ある一足のアイススケート靴で、それぞれ片足のアイススケート靴に足の縦軸方向に添う２枚の平行なブレードを有し間隔は２ｃｍ以上２５ｃｍ以下で、２枚のブレードはアイススケート靴の横軸方向の傾きで、傾いた方に中心のある弧形にブレードが曲がる、そのようにブレードが曲がる機構を持っているアイススケート靴。
【請求項２】
請求項１のアイススケート靴において、スケート靴の靴底に接合されているフレームにおいて、足の縦軸方向の前部と後部の２箇所に足の横軸方向の傾きで遊動するようにブレード固定金具が設置されている、そのブレード固定金具の間隔は足先から踵までの中央を挟んで７ｃｍ以上４５ｃｍ以下となる、そのように前部と後部の２箇所にブレード固定金具が設置されているアイススケート靴。
【請求項３】
請求項１及び請求項２のアイススケート靴において前部と後部の２箇所にあるブレード固定金具の間に、スケート靴の横軸方向の傾きで、左右にある２枚のブレードに対し同時に横方向に曲げる力を加えるブレード曲げカム部がある、そのブレード曲げカム部を一箇所または二箇所設置されているアイススケート靴。
【請求項４】
請求項１−３のアイススケート靴において前部のブレード固定金具の左右２箇所あるブレード固定金具腕部とフレームの間、後部のブレード固定金具の左右２箇所あるブレード固定金具腕部とフレームの間のそれぞれに間隔を調整する傾き調整弾性材がある、そのように前部に２箇所、後部に２箇所傾き調整弾性材が設置されているアイススケート靴。
【発明の詳細な説明】
【技術分野】
【０００１】
２枚のブレードを有するアイススケート靴の機械技術に関すものである。
【背景技術】
【０００２】
ブレード一枚の普通アイススケートでは初心者はスケート靴が横方向に傾くため慣れにくい、真っ直ぐ立てるようになるには熟練が必要となる。そもそも人の足は足先を上下させる筋肉は強く、走る跳ぶなど陸上競技で主に使われる筋肉となる。それに比べ足を横に動かす筋肉は弱く、ときに裏返り捻挫するように弱点となっている。従って華麗に魅せるフィギュアースケートは血のにじむ訓練があってのワザであって、決して一枚ブレードのスケートが足に合っているとは言えない。
従来のアイスケートではブレードのしなりはスケーティングの不安定要因となるので無くする改善が施されてきた、一例としてスピードスケート用ではブレードの足側にパイプ状の膨らみをもたせる工夫でしなりを無くしてきた。
ブレード２枚ある従来のアイススケートは公開実用新案公報昭５３−１０９９７５にあるように、２枚のブレードを有しているため、両ブレードの底面が氷面に接している場合は横方向のスケート靴の傾きは固定される。またそれ以外の傾きでは片側のブレードは浮いてしまう変則的アイススケートとなってしまう。
【先行技術文献】
【特許文献】
【０００３】
【特許文献１】公開番号特開２０１１−５２４２
【非特許文献】
【０００４】
【非特許文献１】板東浩  小松秀司著  「スケート中級者への上達アドバイス」発行メディカルリサーチ。
【発明の概要】
【０００５】
図１は上から見た図で右足のスケート靴１を透過してブレードの曲がり具合を表記。（ａ）はスケート靴１を左に傾けたときブレード２が左に中心をもつように弧を描き曲がる、当然スケートの進路は矢印１７の方向即ち左方向に旋回するように進む。（ｂ）はスケート靴１が垂直に立った状態を示す、ブレード２は一直線となり進行方向も直進となる。（ｃ）は右にスケート靴１が傾いた状態でブレード２は右に中心ができるように弧を描く、進行方向も右に旋回するように進む。
図２は図１に対応するようにスケート靴を後ろから見た図、（ａ）はスケート靴１が左に傾き、ブレード２が曲げられている。（ｂ）はスケート靴１が直立していてブレード２は一直となっている。（ｃ）はスケート靴１が右に傾きブレード２が曲げられていることを示す。
このように２枚のブレード２をもつことで足の安定が得られる、また２枚のブレード２を有するアイススケート靴の欠点を払拭、自在にスケート靴１を傾け滑ることができる。この場合でも２枚のブレード２は弧を描きつつ、氷面に密着しており、その弧に添い曲線的に滑ることができる。この２枚のブレード２を弧に曲げ、その弧に添い滑るアイススケート靴が原理で、以下がその原理を実現する機構となる。尚２枚のブレードの間隔は２ｃｍ以上２５ｃｍ以下となる。
【実施例１】
【０００６】
図３の（ａ）はスケート靴１を後方から見た図、スケート靴１は垂直に立った状態で靴底と接合されたフレーム３と一体となっている、フレーム３に固定されたジョイント丸棒１８を介しブレード固定金具７と遊動するように接続されている、その遊動の一つはスケート靴１の横方向の傾きを自由にする動きと、もう一つはブレード２が曲がったとき、足の前後にあるブレード固定金具７の間隔が狭くなるので、足の縦軸方向の遊動となる。そしてブレード固定金具７に左右のブレード２が固定され、そのブレード２が氷上と接することとなる。（ｂ）は図４の断面図２５で、フレーム３に一体となっているブレード曲げカム部４は、スケート靴１の前後にあるブレード固定金具７の中間に位置している。そのブレード曲げカム部４は遊動するようにブレード曲げ棒６に接続され、ブレード曲げ棒６は左右のブレード２に接続されている。（ｃ）はスケート靴１が左側に傾いている図、ブレード固定金具７の位置は変わりません、ブレード曲げカム部４はスケート靴１の傾きに伴って右方向に動きブレード曲げ棒６を介して、左右にあるブレード２を右方向に押すことでブレード２を曲げる。（ｄ）は（ｂ）のスケート靴１を左に傾けた図でスケート靴１の傾きでどの程度ブレード２が曲げられるか（ｂ）との比較でブレード変形量２６を示す。このアイススケート靴はブレード２の曲げに対する反発力を利用して、横方向の力が掛からなければブレード２の反発力でブレード曲げ棒６を介しブレード曲げカム部４が押され、スケート靴１は直立する。機構が単純なので軽く軽快なアイススケート靴になる。
図４はスケート靴１を横から見た図で、足の縦軸の前後にあるブレード固定金具７の中央にブレード曲げカム部４が一箇所あることを示す、尚足を上から見て指先から踵までの長い軸を縦軸とし、指先側を前部、踵側を後部とする。また足の右左の短い軸を横軸とする。また前後のブレード固定金具の間隔は足の縦軸の足先から踵までの中央を挟んで、前後７ｃｍ以上４５ｃｍ以内とする。
【実施例２】
【０００７】
図５はブレード曲げカム部４が２箇所あることを示す、この場合２箇所のブレード曲げカム部４とブレード曲げ棒６の遊動する接続部は、足の縦軸方向にも少し遊動することでブレード２が一直の場合より曲げられた時、前後にあるブレード曲げ棒６間の間隔が縮む、その遊びをもたせてある。２箇所あるブレード曲げカム部４の配置は足の縦軸の前にあるブレード固定金具７と前にあるブレード曲げカム部４の間隔が、後ろにあるブレード曲げカム部４と後ろにあるブレード固定金具７との間隔と同じになっている。尚足の縦軸の前後にあるブレード曲げカム部４間の間隔は３ｃｍ以上とする。このブレード曲げカム部４が２箇所あることで、後ろのブレード固定金具７に体重をかけスケート靴１を傾けると、足の後方だけブレード曲げカム部４が働き、後方を強調するようにブレード２が曲げられる、その弧に添い滑ることができる。即ち足の縦軸の前後にあるブレード固定金具７とブレード曲げカム部４を個々に強調して使うことができるので、より複雑な滑りを楽しむことができる。
【実施例３】
【０００８】
図６は傾き調整弾性材５を装置した２例。（ａ）はブレード固定金具７の左右のブレード固定金具腕部１５を挟むように傾き調整弾性材５を配置し、それぞれフレーム３に止められ、上の傾き調整弾性材５、ブレード固定金具腕部１５、下の傾き調整弾性材５を貫通するネジで止められている。スケート靴１が直立しているので４箇所の傾き調整弾性材５に変形はありません。またフレーム３の凹部とブレード固定金具頭部２３が遊動するように接続されていることを図示している。（ｂ）はスケート靴１が左に傾いている状態を示している。左側の上の傾き調整弾性材５は押し縮められ、下の傾き調整弾性材５は伸びている。また右側の上の傾き調整弾性材５は伸びていて、下の傾き調整弾性材５は押し縮められている。傾き調整弾性材５は伸びることはありませんので、予め長い傾き調整弾性材５をネジで押さえて装着している。また傾き調整弾性材としてゴム様素材、コイルバネ、板バネ、空気バネも考えられる。
（ｃ）は左右のブレード固定金具腕部１５の上の傾き調整弾性材５は（ａ）と同じ、下はコイルバネの傾き調整バネ１９に置き換えた図。スケート靴１が垂直で左右の傾き調整弾性材５と下部の傾き調整バネ１９に歪みはありません。（ｄ）はスケート靴１が左に傾いた状態で左の傾き調整弾性材５が縮み、その下の傾き調整バネ１９が伸びていることを示す。また右の傾き調整弾性材５は伸び、下にある傾き調整バネ１９が押し縮められている。（ａ）及び（ｂ）機構のアイススケート靴は、スケート靴の少し傾きで直ぐ強い規制が働くので安定したスケーティング用のアイススケート靴になる。（ｃ）及び（ｄ）機構のアイススケートは傾きの規制がより緩やかなので、スケート靴１が傾けやすくより大胆なスケーティング用アイススケート靴になる。
図７は図６の（ａ）及び（ｃ）のアイススケート靴で足の縦軸の前後にあるブレード固定金具７の中央に一箇所のブレード曲げカム部４があることを示す。ブレード曲げカム部４が一箇所なので安定したスケーティング用のアイススケート靴になる。
【実施例４】
【０００９】
図８は図６の（ａ）及び（ｃ）のスケート靴１で足の縦軸の前後にあるブレード固定金具７の間に２箇所のブレード曲げカム部４があることを示す。この場合もブレード曲げカム部４とブレード曲げ棒６の接続部の遊動には足の縦軸方向となる前後に動く遊びもある。この機構のアイススケート靴は足の縦軸の前後で、ブレード２の曲げを別々に強調できるので、より巧妙なスケーティングが楽しめる。
【実施例５】
【００１０】
図９はローラースケートにあるスケート靴の横方向の傾きで、左右にある車輪の車軸が変向する機構を応用している別例。スケート靴１の靴底に、足の縦軸方向の前後２箇所にある楕円パイプフレーム支え金具８に接合された楕円パイプフレーム９がある、その楕円パイプフレーム９の最後部、即ち踵下にブレード支え金具変向器１６がある、そのブレード支え金具変向器１６に傾き調整弾性材５を挟み装置されているブレード支え金具１０は、ブレード支え金具変向軸２２で遊動する。一方楕円フレームの前部には楕円パイプフレーム９を包むように密着しながら前後にスライドするスライトジョイント１１がある、そのスライドジョイント１１の前端部にはブレード支え金具変向器１６が接合されている。そのブレード支え金具変向器１６は傾き調整弾性材５を挟んでブレード支え金具１０が、ブレード支え金具変向軸２２で遊動するように接続されている。それら前後のブレード支え金具１０には図１０にあるように足の横軸方向に伸びるブレード支え金具腕部２１が左右に伸び、ブレード２はブレード２に開けられたブレード遊動穴１３を通る止めネジ１２によりブレード止め座金２０を挟んで遊動するようにブレード支え金具腕部２１に接続されている。
図１０は、図９のスケート靴１の指先方向を前に上からスケート靴を透視している簡略図。（ａ）はスケート靴が左に傾いた図で当然靴の左側に体重がかけられている。足の前後にあるブレード支え金具変向器１６は図９にあるブレード支え金具変向軸２２に添いブレード支え金具１０は変向するので、ブレード支え金具腕部が傾きそれに接続されているブレード２も曲がる、その時曲げる力の補充として図９にあるブレード遊動穴１３に添い、ブレード止め座金２０を押さえている止めネジ１２が動き、ブレード２が曲げられた図となる、スケート靴１はブレードの曲げられた弧に添い矢印の方向に進む。（ｂ）はスケート靴１が垂直の状態で、当然ブレード２は直線となっていて、真っ直ぐ進む。（ｃ）は左側にスケート靴１を傾けた状態で（ａ）と逆にブレード２が曲げられ、その弧に従い矢印の方向に進む。図９のアイススケート靴ではブレード２に接続されている足の縦軸の前部にあるブレード支え金具１０と、後部のブレード支え金具１０の中間に装置されている橋金具１４の役割は、ブレード２が曲げられているとき、左右にあるブレード２の弧を相似させるためである、この機構はまだ未完で想像の産物である。
【図面の簡単な説明】
【００１１】
【図１】スケート靴の傾きとブレードの曲がりの関係、また進行方向を示す図。
【図２】図１のスケート靴を後ろから見た図。
【図３】スケート靴の傾きがどのようにブレードを曲げるか機械的に説明した図。
【図４】ブレード曲げカム部が一箇所ある図。
【図５】ブレード曲げカム部が二箇所ある図。
【図６】傾き調整弾性材を装備した２例で、スケート靴が垂直と傾いた時の、傾き調整弾性材の変化図。
【図７】図６の２例で、ブレード曲げカムが一箇所のスケート靴。
【図８】図６の２例で、ブレード曲げカムが二箇所あるスケート靴。
【図９】別の機構でブレードを曲げる別例、スケート靴側面図。
【図１０】図９のスケート靴の傾きとブレードの曲がりの関係、また進行方向を示す図。
【発明を実施するための最良の形態】
【００１２】
図６（ｃ）が実施する最良の形態となる、理由は傾き調整弾性材５の素材として考えられるゴム様素材の性質として、押し潰される度合いに応じて急に抵抗が増す、この性質はスケート靴は傾きを大きくする程体重が偏り、より強い力が掛かる。その力を相殺するにはゴム様素材の特質が合っている。同じく弾性素材を使った図６（ａ）は今度はゴム様素材が傾きに対して同時に２箇所で抵抗する、ゴム様素材の弾性を軟らかくすることでの対処は考えられるが、この場合は傾きの抵抗が大きすぎて軽快さを失うと懸念している。従ってゴム様素材とコイルバネ様の弾性体の組み合わせが最適と考える。
【産業上の利用可能性】
【００１３】
アイススケート靴は人に愛好される遊具である、足が安定しブレードの形付ける弧に添い軽快に旋回する新スケートの提供は愛好者を増やし、提供するメーカの雇用と利益を増やす。
【符号の説明】
【００１４】
１  スケート靴
２  ブレード
３  フレーム
４  ブレード曲げカム部
５  傾き調整弾性材
６  ブレード曲げ棒
７  ブレード固定金具
８  楕円パイプフレーム支え金具
９  楕円パイプフレーム
１０  ブレード支え金具
１１  スライドジョイント
１２  止めネジ
１３  ブレード遊動穴
１４  橋金具
１５  ブレード固定金具腕部
１６  ブレード支え金具変向器
１７  進行方向
１８  ジョイント丸棒
１９  傾き調整バネ
２０  ブレード止め座金
２１  ブレード支え金具腕部
２２  ブレード支え金具変向軸
２３  ブレード固定金具頭部
２５  断面図Ｂ
２６  ブレードの変形量
【図１】
2015063958.tif 000003
【図２】
2015063958.tif 000004
【図３】
2015063958.tif 000005
【図４】
2015063958.tif 000006
【図５】
2015063958.tif 000007
【図６】
2015063958.tif 000008
【図７】
2015063958.tif 000009
【図８】
2015063958.tif 000010
【図９】
2015063958.tif 000011
【図１０】
2015063958.tif 000012
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
左右ある一足のアイススケート靴で、それぞれ片足のアイススケート靴に足の縦軸方向に沿う２枚の平行なブレードを有し、その２枚のブレードはアイススケート靴の横軸方向の傾きで、傾いた方に中心のある弧形にブレードが曲がる、そのようにブレードが曲がる機構を持っているアイススケート靴で、そのブレードを曲げる機構としてスケート靴の靴底に接合されているフレームにおいて、足の縦軸方向の前部と後部の２箇所に足の横軸方向の傾きで遊動するようにブレード固定金具が設置されている、そのように前部と後部の２箇所にブレード固定金具が設置されているアイススケート靴。
【請求項２】
請求項１記載のアイススケート靴において前部と後部の２箇所にあるブレード固定金具の間に、スケート靴の横軸方向の傾きで、左右にある２枚のブレードに対し同時に横方向に曲げる力を加えるブレード曲げカム部がある、そのブレード曲げカム部を一箇所または二箇所設置されているアイススケート靴。
【請求項３】
請求項１及び請求項２の何れかに記載のアイススケート靴において、前部のブレード固定金具の左右２箇所あるブレード固定金具腕部とフレームの間、後部のブレード固定金具の左右２箇所あるブレード固定金具腕部とフレームの間のそれぞれに間隔を調整する傾き調整弾性材がある、そのように前部に２箇所、後部に２箇所傾き調整弾性材が設置されているアイススケート靴。
【手続補正３】
【補正対象書類名】明細書
【補正対象項目名】０００１
【補正方法】変更
【補正の内容】
【０００１】
技術分野
２枚のブレードを有するアイススケート靴の機械技術に関すものである。
背景技術
ブレード一枚の普通アイススケート靴では初心者はスケート靴が横方向に傾くため慣れにくい、真っ直ぐ立てるようになるには熟練が必要となる。そもそも人の足は足先を上下させる筋肉は強く、走る跳ぶなど陸上競技で主に使われる筋肉となる。それに比べ足を横に動かす筋肉は弱く、ときに裏返り捻挫するように弱点となっている。従って華麗に魅せるフィギュアースケートは血のにじむ訓練があってのワザであって、決して一枚ブレードのスケート靴の動きが足に合っているとは言えない。
従来のブレード一枚のアイスケート靴ではブレードのしなりはスケーティングの不安定要因となるので無くする改善が施されてきた、一例としてスピードスケート用の靴ではブレードの足側にパイプ状の膨らみをもたせる工夫でしなりを無くしてきた。
ブレード２枚ある従来のアイススケート靴は公開実用新案公報昭５３−１０９９７５にあるように、２枚のブレードを有しているため、両ブレードの底面が氷面に接している場合は横方向のスケート靴の傾きは固定される。またそれ以外の傾きでは片側のブレードは浮いてしまう変則的アイススケート靴となってしまう。
【手続補正４】
【補正対象書類名】明細書
【補正対象項目名】０００２
【補正方法】変更
【補正の内容】
【０００２】
先行技術文献
特許文献
特許文献１：公開番号特開２０１１−５２４２
非特許文献
非特許文献１：板東浩  小松秀司著「スケート中級者への上達アドバイス」発行メディカルリサーチ。
発明の概要
図１は上から見た図で右足のスケート靴１を透過してブレードの曲がり具合を表記。（ａ）はスケート靴１を左に傾けたときブレード２が左に中心をもつように弧を描き曲がる、当然スケートの進路は矢印１７の方向即ち左方向に旋回するように進む。（ｂ）はスケート靴１が垂直に立った状態を示す、ブレード２は一直線となり進行方向も直進となる。（ｃ）は右にスケート靴１が傾いた状態でブレード２は右に中心ができるように弧を描く、進行方向も右に旋回するように進む。
図２は図１に対応するようにスケート靴を後ろから見た図、（ａ）はスケート靴１が左に傾き、ブレード２が曲げられている。（ｂ）はスケート靴１が直立していてブレード２は一直となっている。（ｃ）はスケート靴１が右に傾きブレード２が曲げられていることを示す。
このように２枚のブレード２をもつことで足の安定が得られる、また２枚のブレードを有する従来のアイススケート靴の欠点を払拭し、自在にスケート靴１を傾け滑ることができる。この場合でも２枚のブレード２は弧を描きつつ、氷面に密着しており、その弧に添い曲線的に滑ることができる。この２枚のブレード２を弧に曲げ、その弧に添い滑るアイススケート靴が原理で、以下がそ
【手続補正５】
【補正対象書類名】明細書
【補正対象項目名】０００３
【補正方法】変更
【補正の内容】
【０００３】
の原理を実現する機構となる。尚相似形であり並列に設置された２枚のブレードの間隔は２ｃｍ以上２５ｃｍ以下となる。
実施例１
図３の（ａ）はスケート靴１を後方から見た図、スケート靴１は垂直に立った状態で靴底と接合されたフレーム３と一体となっている、フレーム３に固定されたジョイント丸棒１８を介しブレード固定金具７と遊動するように接続されている、その遊動の一つはスケート靴１の横方向の傾きを自由にする動きと、もう一つはブレード２が曲がったとき、足の前後にあるブレード固定金具７の間隔が狭くなるので、足の縦軸方向の遊動となる。そしてブレード固定金具７に左右のブレード２が固定され、そのブレード２が氷上と接することとなる。（ｂ）は図４の断面図２５で、フレーム３に一体となっているブレード曲げカム部４は、スケート靴１の前後にあるブレード固定金具７の中間に位置している。そのブレード曲げカム部４は遊動するようにブレード曲げ棒６に接続され、ブレード曲げ棒６は左右のブレード２に接続されている。（ｃ）はスケート靴１が左側に傾いている図、ブレード固定金具７の位置は変わらず、ブレード曲げカム部４はスケート靴１の傾きに伴って右方向に動きブレード曲げ棒６を介して、左右にあるブレード２を右方向に押すことでブレード２を曲げる。（ｄ）は（ｂ）のスケート靴１を左に傾けた図でスケート靴１の傾きでどの程度ブレード２が曲げられるか（ｂ）との比較でブレード変形量２６を示す。このアイススケート靴はブレード２の曲げに対する反発力を利用して、横方向の力が掛からなければブレード２の反発力でブレード曲げ棒６を介しブレード曲げカム部４が押され、スケート靴１は直立する。機構が単純なので軽く軽快なアイススケート靴になる。
図４はスケート靴１を横から見た図で、足の縦軸の前後にあるブレード固定金具７の中央にブレード曲げカム部４が一箇所あることを示す、尚足を上から
【手続補正６】
【補正対象書類名】明細書
【補正対象項目名】０００４
【補正方法】変更
【補正の内容】
【０００４】
見て指先から踵までの長い軸を縦軸とし、指先側を前部、踵側を後部とする。また足の右左の短い軸を横軸とする。また前後のブレード固定金具の間隔は足の縦軸となる足先から踵までの中央を挟んで、足の縦軸の前後に７ｃｍ以上４５ｃｍ以下となる。
実施例２
図５はブレード曲げカム部４が２箇所あることを示す、この場合２箇所のブレード曲げカム部４とブレード曲げ棒６の遊動する接続部は、足の縦軸方向にも少し遊動することでブレード２が一直の場合より曲げられた時、前後にあるブレード曲げ棒６間の間隔が縮む、その遊びをもたせてある。２箇所あるブレード曲げカム部４の配置は足の縦軸の前にあるブレード固定金具７と前にあるブレード曲げカム部４の間隔が、後ろにあるブレード曲げカム部４と後ろにあるブレード固定金具７との間隔と同じになっている。尚足の縦軸の前後にあるブレード曲げカム部４間の間隔は３ｃｍ以上となる。このブレード曲げカム部４が２箇所あることで、後ろのブレード固定金具７に体重をかけスケート靴１を傾けると、足の後方だけブレード曲げカム部４が働き、後方を強調するようにブレード２が曲げられる、その弧に添い滑ることができる。即ち足の縦軸の前後にあるブレード固定金具７とブレード曲げカム部４を個々に強調して使うことができるので、より複雑な滑りを楽しむことができる。
実施例３
図６は傾き調整弾性材５を装置した２例。（ａ）はブレード固定金具７の左右のブレード固定金具腕部１５を挟むように傾き調整弾性材５を配置し、それぞれフレーム３に止められ、上の傾き調整弾性材５、ブレード固定金具腕部１５、下の傾き調整弾性材５を貫通するネジで止められている。スケート靴１が直立しているので４箇所の傾き調整弾性材５に変形はありません。またフレー
【手続補正７】
【補正対象書類名】明細書
【補正対象項目名】０００５
【補正方法】変更
【補正の内容】
【０００５】
ム３の凹部とブレード固定金具頭部２３が遊動するように接続されていることを図示している。（ｂ）はスケート靴１が左に傾いている状態を示している。左側の上の傾き調整弾性材５は押し縮められ、下の傾き調整弾性材５は伸びている。また右側の上の傾き調整弾性材５は伸びていて、下の傾き調整弾性材５は押し縮められている。傾き調整弾性材５は伸びることはありませんので、予め長い傾き調整弾性材５をネジで押さえて装着している。また傾き調整弾性材としてゴム様素材、コイルバネ、板バネ、空気バネも考えられる。
（ｃ）は左右のブレード固定金具腕部１５の上の傾き調整弾性材５は（ａ）と同じ、下はコイルバネの傾き調整バネ１９に置き換えた図。スケート靴１が垂直で左右の傾き調整弾性材５と下部の傾き調整バネ１９に歪みはありません。（ｄ）はスケート靴１が左に傾いた状態で左の傾き調整弾性材５が縮み、その下の傾き調整バネ１９が伸びていることを示す。また右の傾き調整弾性材５は伸び、下にある傾き調整バネ１９が押し縮められている。（ａ）及び（ｂ）機構のアイススケート靴は、スケート靴の少し傾きで直ぐ強い規制が働くので安定したスケーティング用のアイススケート靴になる。（ｃ）及び（ｄ）機構のアイススケートは傾きの規制がより緩やかなので、スケート靴１が傾けやすくより大胆なスケーティング用アイススケート靴になる。
図７は図６の（ａ）及び（ｃ）のアイススケート靴で足の縦軸の前後にあるブレード固定金具７の中央に一箇所のブレード曲げカム部４があることを示す。ブレード曲げカム部４が一箇所なので安定したスケーティング用のアイススケート靴になる。
実施例４
図８は図６の（ａ）及び（ｃ）のスケート靴１で足の縦軸の前後にあるブレート固定金具７の間に２箇所のブレード曲げカム部４があることを示す。この場合もブレード曲げカム部４とブレード曲げ棒６の接続部の遊動には足の縦軸
【手続補正８】
【補正対象書類名】明細書
【補正対象項目名】０００６
【補正方法】変更
【補正の内容】
【０００６】
方向となる前後に動く遊びもある。この機構のアイススケート靴は足の縦軸の前後で、ブレード２の曲げを別々に強調できるので、より巧妙なスケーティングが楽しめる。
図面の簡単な説明
図１：スケート靴の傾きとブレードの曲がりの関係、また進行方向を示す図。
図２：図１のスケート靴を後ろから見た図。
図３：スケート靴の傾きがどのようにブレードを曲げるか機械的に説明した図。
図４：ブレード曲げカム部が一箇所ある図。
図５：ブレード曲げカム部が二箇所ある図。
図６：傾き調整弾性材を装備した２例で、スケート靴が垂直と傾いた時の、傾き調整弾性材の変化図。
図７：図６の２例で、ブレード曲げカムが一箇所のスケート靴。
図８：図６の２例で、ブレード曲げカムが二箇所あるスケート靴。
発明を実施するための最良の形態
図６（ｃ）が実施する最良の形態となる、理由は傾き調整弾性材５の素材として考えられるゴム様素材の性質として、押し潰される度合いに応じて急に抵抗が増す、この性質はスケート靴は傾きを大きくする程体重が偏り、より強い力が掛かる。その力を相殺するにはゴム様素材の特質が合っている。同じく弾性素材を使った図６（ａ）は今度はゴム様素材が傾きに対して同時に２箇所で抵抗する、ゴム様素材の弾性を軟らかくすることでの対処は考えられるが、この場合は傾きの抵抗が大きすぎて軽快さを失うと懸念している。従ってゴム様素材とコイルバネ様の弾性体の組み合わせが最適と考える。
【手続補正９】
【補正対象書類名】明細書
【補正対象項目名】０００７
【補正方法】変更
【補正の内容】
【０００７】
産業上の利用の可能性
アイススケート靴は人に愛好される遊具である、足が安定しブレードの形付ける弧に添い軽快に旋回する新スケートの提供は愛好者を増やし、提供するメーカの雇用と利益を増やす。
符号の説明
１  スケート靴
２  ブレード
３  フレーム
４  ブレード曲げカム部
５  傾き調整弾性材
６  ブレード曲げ棒
７  ブレード固定金具
１２  止めネジ
１５  ブレード固定金具腕部
１７  進行方向
１８  ジョイント丸棒
１９  傾き調整バネ
２３  ブレード固定金具頭部
２５  断面図Ｂ
２６  ブレードの変形量
【手続補正１０】
【補正対象書類名】図面
【補正対象項目名】全図
【補正方法】変更
【補正の内容】
【図１】
2015063958.tif 000013
【図２】
2015063958.tif 000014
【図３】
2015063958.tif 000015
【図４】
2015063958.tif 000016
【図５】
2015063958.tif 000017
【図６】
2015063958.tif 000018
【図７】
2015063958.tif 000019
【図８】
2015063958.tif 000020
【国際調査報告】
2015063958.tif 000021
2015063958.tif 000022
2015063958.tif 000023
2015063958.tif 000024